(57)【要約】【課題】  簡易な構成で、不飽和土などに対しても液状化試験を行うことができる三軸試験装置を提供する。【解決手段】  被試験体Ｍに垂直方向の応力を繰返し載荷する繰返し軸荷重載荷シリンダ２３と、被試験体Ｍに水平方向の応力を載荷する作用水２２と、被試験体Ｍに作用している実応力値を一定時間間隔毎に測定する測定ユニット３と、作用水２２による静水圧を制御する側圧制御ユニット４とを備える。測定ユニット３によって測定された垂直方向の実応力値と水平方向の実応力値とに基づいて、被試験体Ｍに作用している平均主応力が一定であるか否かを演算し、一定でない場合には平均主応力が一定になるように側圧制御ユニット４によって作用水２２の静水圧を制御する。【選択図】  図１
2007225405.tif 000002
【特許請求の範囲】
【請求項１】
被試験体の液状化特性などを評価するために、前記被試験体に繰返し応力を与える三軸試験装置であって、
前記被試験体に垂直方向の応力を繰返し載荷する軸圧載荷手段と、
前記被試験体に水平方向の応力を載荷する側圧載荷手段と、
前記被試験体に作用している垂直方向の実応力値と水平方向の実応力値とを一定時間間隔毎に測定する応力測定手段と、
前記応力測定手段によって測定された前記垂直方向の実応力値と前記水平方向の実応力値とに基づいて前記被試験体に作用している平均主応力が一定であるか否かを演算し、一定でない場合には前記平均主応力が一定になるように前記側圧載荷手段による応力を制御する演算制御手段と、を備えたことを特徴とする三軸試験装置。
【請求項２】
前記演算制御手段は、前記垂直方向の実応力値に対して前記平均主応力が一定になるのに要する水平方向の理論応力値を演算し、この理論応力値と前記水平方向の実応力値とが同値でない場合にその応力差を前記側圧載荷手段による応力に加減して制御することを特徴とする請求項１に記載の三軸試験装置。
【請求項３】
前記演算制御手段による演算、制御の時間間隔が、前記応力測定手段による測定時間間隔以上でありかつ選択可能であることを特徴とする請求項１または２のいずれか１項に記載の三軸試験装置。
【請求項４】
被試験体に垂直方向と水平方向との応力を与える三軸試験装置を制御するための三軸試験装置用プログラムであって、コンピュータを、
前記被試験体に作用している垂直方向の実応力値と水平方向の実応力値とを一定時間間隔毎に前記三軸試験装置から取得する応力取得手段と、
取得した前記垂直方向の実応力値と前記水平方向の実応力値とに基づいて前記被試験体に作用している平均主応力が一定であるか否かを演算し、一定でない場合には前記平均主応力が一定になるように前記三軸試験装置による前記被試験体への水平方向の応力を制御する演算制御手段として機能させるための三軸試験装置用プログラム。
【発明の詳細な説明】
【技術分野】
【０００１】
本発明は、地盤の液状化特性などを評価するために、被試験体に繰返し応力を与える三軸試験装置に関し、特に、被試験体が不飽和土などであっても適用可能な三軸試験装置および、三軸試験装置用プログラムに関する。
【背景技術】
【０００２】
地盤の液状化特性などを評価するための試験装置として、地盤のモデルである被試験体に繰返し応力を与える動的（繰返し）三軸試験装置が知られている（例えば、非特許文献１参照。）。この動的三軸試験装置は、完全飽和状態である飽和土（土粒子骨格とその間隙を満たす水とからなる二相媒体構成の土）を被試験体とし、等方な拘束圧によって被試験体を圧密させた後に、非排水状態で垂直方向に一定振幅の応力（以下、適宜「軸載荷応力」という）を繰返し与える。これにより、被試験体内にせん断応力を作用させて、被試験体を液状化させるものである。ところで、実際の地震などにおいては、地盤中の平均主応力が一定である。これに対し、上記のような動的三軸試験装置による試験では、載荷中の平均主応力が絶えず変動することになるが、被試験体がほぼ完全飽和状態であれば、軸載荷応力はほぼ間隙水に伝わり被試験体中の有効応力は変化しない、と想定することが可能である。すなわち、上記のような動的三軸試験装置による試験では、軸載荷応力は液状化現象には無関係な応力成分とみなし、被試験体内の４５度面上に加わる同じ大きさのせん断応力のみによって液状化現象が生じる、と想定しているものである。
【非特許文献１】「（社）地盤工学会編  土質試験の方法と解説」、２００１年、ｐ．６３５−６５７
【発明の開示】
【発明が解決しようとする課題】
【０００３】
ところで、近年、従来は液状化の範囲外（対象外）と考えられていた密な材料や不飽和土（土粒子骨格とその間隙を満たす水と空気とからなる三相媒体構成の土）などについても、液状化特性に着目した研究が行われている。このような密な材料や不飽和土などを被試験体として液状化現象を上記のような動的三軸試験装置によって再現しようとする場合、次のような問題が生じる。すなわち、密な材料においては、低拘束圧（破壊時の最大応力傾角面の垂直応力、平均主応力または最小主応力）下での圧縮応力が有効拘束圧を上回る場合に、被試験体に絶対的な引張応力が作用するため、実験が困難になる場合が多い。また、不飽和土では、軸載荷応力が完全に間隙水圧に転化されずに有効応力が変化し、液状化が軸載荷応力による繰返しせん断応力のみによって生じているのか否かが判断できない。
【０００４】
このため、密な材料や不飽和土などの液状化特性を評価するには、繰返し載荷中の平均主応力を一定に保つ必要がある。そして、平均主応力を一定に保ちながら軸載荷応力を繰返し与える方法として、例えば、被試験体への軸載荷応力と側圧（水平方向の応力）とを同時に変動させて、繰返し載荷中の平均主応力を一定に保つ試験方法が考えられるが、一般に大規模な油圧システムなどを必要とし、試験装置が複雑で高価となる。
【０００５】
そこで本発明は、簡易な構成で、不飽和土などに対しても液状化試験を行うことができる三軸試験装置および三軸試験装置用プログラムを提供することを目的とする。
【課題を解決するための手段】
【０００６】
上記目的を達成するために請求項１に記載の発明は、被試験体の液状化特性などを評価するために、前記被試験体に繰返し応力を与える三軸試験装置であって、前記被試験体に垂直方向の応力を繰返し載荷する軸圧載荷手段と、前記被試験体に水平方向の応力を載荷する側圧載荷手段と、前記被試験体に作用している垂直方向の実応力値と水平方向の実応力値とを一定時間間隔毎に測定する応力測定手段と、前記応力測定手段によって測定された前記垂直方向の実応力値と前記水平方向の実応力値とに基づいて前記被試験体に作用している平均主応力が一定であるか否かを演算し、一定でない場合には前記平均主応力が一定になるように前記側圧載荷手段による応力を制御する演算制御手段と、を備えたことを特徴としている。
（作用）
応力測定手段によって、被試験体に作用している垂直方向の実応力値と水平方向の実応力値とが一定時間間隔毎に測定され、被試験体に作用している平均主応力が一定でない場合には、演算制御手段によって、側圧載荷手段による被試験体への水平方向の応力が制御され、被試験体に作用する平均主応力が一定となる。
【０００７】
請求項２に記載の発明は、請求項１に記載の三軸試験装置において、前記演算制御手段は、前記垂直方向の実応力値に対して前記平均主応力が一定になるのに要する水平方向の理論応力値を演算し、この理論応力値と前記水平方向の実応力値とが同値でない場合にその応力差を前記側圧載荷手段による応力に加減して制御することを特徴としている。
（作用）
演算制御手段によって、垂直方向の実応力値に対する水平方向の理論応力値が演算され、この理論応力値と水平方向の実応力値とが同値でない場合には、その応力差が側圧載荷手段による応力に加減制御され、被試験体に作用する平均主応力が一定となる。
【０００８】
請求項３に記載の発明は、請求項１または２のいずれか１項に記載の三軸試験装置において、前記演算制御手段による演算、制御の時間間隔が、前記応力測定手段による測定時間間隔以上でありかつ選択可能であることを特徴としている。
（作用）
応力測定手段によって測定された実応力値のなかから、選択された時間間隔で測定された実応力値に基づいて演算制御手段による上記のような演算、制御が行われる。
【０００９】
請求項４に記載の発明は、被試験体に垂直方向と水平方向との応力を与える三軸試験装置を制御するための三軸試験装置用プログラムであって、コンピュータを、前記被試験体に作用している垂直方向の実応力値と水平方向の実応力値とを一定時間間隔毎に前記三軸試験装置から取得する応力取得手段と、取得した前記垂直方向の実応力値と前記水平方向の実応力値とに基づいて前記被試験体に作用している平均主応力が一定であるか否かを演算し、一定でない場合には前記平均主応力が一定になるように前記三軸試験装置による前記被試験体への水平方向の応力を制御する演算制御手段として機能させるための三軸試験装置用プログラムである。
（作用）
応力取得手段によって、被試験体に作用している垂直方向の実応力値と水平方向の実応力値とが一定時間間隔毎に三軸試験装置から取得され、被試験体に作用している平均主応力が一定でない場合には、演算制御手段によって、三軸試験装置による被試験体への水平方向の応力が制御され、被試験体に作用する平均主応力が一定となる。
【発明の効果】
【００１０】
請求項１に記載の発明によれば、被試験体に作用する平均主応力が一定となるため、飽和土のみならず不飽和土などに対しても液状化試験を行うことができる。また、軸圧載荷手段は、従来の動的三軸試験装置と同様に、被試験体に応力を繰返し載荷するだけであり、演算制御手段によって応力が制御されるのは側圧載荷手段による応力のみである。すなわち、被試験体への垂直方向の応力と水平方向の応力とを同時に制御（変動）させる必要がないため、構成が簡易となり（単純化され）安価となる。しかも、従来の動的三軸試験装置に演算制御手段を設けることで本発明の三軸試験装置を構成することができるため、従来の動的三軸試験装置を不飽和土などの液状化試験に使用することが容易に可能となる。
【００１１】
請求項２に記載の発明によれば、演算制御手段が、平均主応力が一定になるのに要する水平方向の理論応力値を演算し、この理論応力値と水平方向の実応力値との応力差だけ側圧載荷手段を制御すればよいため、早期に（瞬時に）平均主応力を一定にすることが可能となる。
【００１２】
請求項３に記載の発明によれば、被試験体の材質や大きさなどに応じて演算制御手段による演算、制御の時間間隔を選択することで、応力測定手段による測定時間間隔を変更することなく、被試験体の材質や大きさなどに応じて適正に演算、制御すること、すなわち平均主応力を一定にするができる。
【００１３】
請求項４に記載の発明によれば、請求項１に記載の発明と同様に、被試験体に作用する平均主応力が一定となるため、飽和土のみならず不飽和土などに対しても液状化試験を行うことができる。また、従来の動的三軸試験装置に本プログラムを設けるだけで、不飽和土などに対しても液状化試験を行うことができるため、構成が簡易で安価であり、しかも、従来の動的三軸試験装置を有効に活用することができる。
【発明を実施するための最良の形態】
【００１４】
以下、本発明を図示の実施の形態に基づいて説明する。
【００１５】
図１は、本発明の実施の形態に係わる三軸試験装置１を示す概略構成図である。この三軸試験装置１は、被試験体Ｍの液状化特性などを評価するために被試験体Ｍに繰返し応力を与える装置であって、主として、装置本体２と、測定ユニット３（応力測定手段）と、側圧制御ユニット４（側圧載荷手段）と、ホストコンピュータ５（演算制御手段）とを備えている。
【００１６】
装置本体２は、広く一般に使用されている動的三軸試験装置と同等の構成であるため、ここでは詳細な説明を省略するが、概略以下のような構成である。すなわち、容器状のセル２１内の中央部に、ゴムスリーブ（図示せず）で覆われた被試験体Ｍが配設され、この被試験体Ｍとセル２１との間に作用水２２が満たされている。そして、この作用水２２に圧力が加えられ、その静水圧によって被試験体Ｍに水平方向の応力が載荷されることで、側圧載荷手段が構成されている。セル２１の上方には、繰返し軸荷重載荷シリンダ２３（軸圧載荷手段）が配設され、そのロッド２３１が一定振幅で上下動することで、被試験体Ｍに垂直方向の振幅応力が繰返し載荷されるものである。また、装置本体２による載荷方法は空圧式で、載荷条件は繰返し非排水正弦波載荷である。
【００１７】
測定ユニット３は、軸荷重計３１と、側圧計３２と、動ひずみアンプ３３とを備えている。軸荷重計３１は被試験体Ｍの垂直方向のひずみを測定し、側圧計３２は被試験体Ｍの水平方向のひずみを測定するものであり、測定されたひずみにより、後述するようにして被試験体Ｍに作用している垂直方向の実応力値と水平方向の実応力値とが算出される。動ひずみアンプ３３は、軸荷重計３１と側圧計３２とによる測定結果をアナログ信号として増幅する増幅器であり、その増幅結果がホストコンピュータ５のＡ／Ｄボード（アナログ／デジタル変換ボード）に転送されるようになっている。また、このような測定ユニット３による測定（サンプリング）は一定時間間隔毎に行われ、本実施形態では、１チャネル（１測定）当り１０μ秒間隔という高速で測定される。
【００１８】
側圧制御ユニット４は、電気空圧変換器４１（ＥＰ変換器）と圧力変動水槽４２とを備えている。電気空圧変換器４１は、ホストコンピュータ５からの制御情報である電気信号を空気圧信号に変換する信号変換器であり、圧力変動水槽４２は、電気空圧変換器４１からの空気圧信号に基づいて水圧が変動する水槽であり、装置本体２のセル２１（作用水２２）と接続されている。そして、ホストコンピュータ５から電気空圧変換器４１に電気信号が送られると、電気空圧変換器４１から圧力変動水槽４２に空気圧信号が送られて圧力変動水槽４２の水圧が変動する。この変動に伴って作用水２２の静水圧が変動し、被試験体Ｍに作用する水平方向の応力が変動する（制御される）ものである。
【００１９】
ホストコンピュータ５は、被試験体Ｍに作用する平均主応力が一定になるように演算、制御する演算制御手段としての演算制御タスク５１（三軸試験装置用プログラム）を備えている。この演算制御タスク５１は、測定ユニット３によって測定された垂直方向の実荷重値を被試験体Ｍの断面積で除した実応力値（ひずみ）と水平方向の実応力値（ひずみ）とに基づいて被試験体Ｍに作用している平均主応力が一定であるか否かを演算し、一定でない場合には平均主応力が一定になるように装置本体２の作用水２２の静水圧を制御するものであり、図２に示すフローチャートに基づいている。まず、測定ユニット３による測定結果を上記の一定時間間隔毎にＡ／Ｄボードから読み取る（応力取得手段として測定結果を取得する）ことで高速データサンプリングし（ステップＳ１）、演算制御タイミングであるか否かを判断する（ステップＳ２）。ここで演算制御タイミングとは、演算、制御を行う時間間隔であり、測定ユニット３による測定時間間隔以上であり、かつ後述するように試験員などによって選択、設定された値である。つまり、１チャネル当り１０μ秒間隔という高速でデータサンプリングされ、そのサンプリング間隔のうちの一定時間間隔が演算制御タイミングとなる。そして、演算制御タイミングでない場合には、ホストコンピュータ５のハードディスクに測定データを記憶し（ステップＳ３）、演算制御タイミングである場合には、被試験体Ｍに作用している応力状態等を演算する（ステップＳ４）。
【００２０】
この演算は、次のようにして行われる。まず、測定結果である垂直方向のひずみと水平方向のひずみとに基づいて、被試験体Ｍに作用している垂直方向の実応力値と水平方向の実応力値とを算出する。すなわち、垂直方向のひずみと水平方向のひずみとを主軸の方向の主ひずみとし、三軸方向の主応力状態における主ひずみと主応力との関係式から、垂直方向の実応力値と水平方向の実応力値とを算出する。次に、算出した垂直方向の実応力値に対して、平均主応力が一定になるのに要する水平方向の理論応力値を算出する。例えば、図３に示すように、垂直方向の実応力値がσ０（図３（ａ）参照）からσ０＋σｄ／２（図３（ｂ）参照）に変動した場合には、その変動分であるσｄ／２を減じた値であるσ０−σｄ／２が理論応力値となる。同様に、垂直方向の実応力値がσ０からσ０−σｄ／２（図３（ｃ）参照）に変動した場合には、その変動分であるσｄ／２を加えた値であるσ０＋σｄ／２が理論応力値となり、これにより平均主応力が一定値σ０に保たれる。
【００２１】
続いて、これらの演算結果をメモリに記憶し（ステップＳ５）、被試験体Ｍに作用する平均主応力が一定となる条件を満たすか否かを判断する（ステップＳ６）。すなわち、ステップＳ４で算出した水平方向の実応力値と理論応力値とが同値である場合には平均主応力一定の条件を満たし、同値でない場合には条件を満たさないと判断する。そして、条件を満たす場合には、ハードディスクに演算結果を記憶し（ステップＳ８）、ステップＳ９に進む。一方、条件を満たさず水平方向の実応力値が理論応力値よりも小さい場合（ステップＳ７で「Ｙｅｓ」の場合）には、理論応力値から実応力値を減じた応力差を加える指令の電気信号を電気空圧変換器４１に送信（出力）する（ステップＳ１０）。これにより、圧力差だけ圧力変動水槽４２が加圧され、作用水２２の静水圧が上昇して、被試験体Ｍに作用する水平方向の応力が上がる。また、水平方向の実応力値が理論応力値よりも大きい場合（ステップＳ７で「Ｎｏ」の場合）には、実応力値から理論応力値を減じた応力差を減じる指令の電気信号を電気空圧変換器４１に送信する（ステップＳ１１）。これにより、圧力差だけ圧力変動水槽４２が減圧され、作用水２２の静水圧が降下して、被試験体Ｍに作用する水平方向の応力が下がる。そして、ステップＳ１０またはステップＳ１１が完了した後にステップＳ１に戻り、同様の処理を繰り返す。
【００２２】
一方、ステップＳ３またはステップＳ８からステップＳ９に進むと、試験の終了条件（被試験体Ｍに液状化現象が発生した場合など）を満たすか否かを判断し、終了条件を満たす場合には本タスク５１を終了する。また、終了条件を満たさない場合には、測定ユニット３による測定結果や、被試験体Ｍに作用している実応力値や平均主応力値などの物理値をホストコンピュータ５のディスプレイに表示する（ステップＳ１２）。その後、ステップＳ１に戻り、同様の処理を繰り返すものである。
【００２３】
以上、図２に示すフローチャートに基づいて演算制御タスク５１の処理フローを説明したが、この演算制御タスク５１は、ホストコンピュータ５のＣＰＵ（Ｃｅｎｔｒａｌ  Ｐｒｏｃｅｓｓｉｎｇ  Ｕｎｉｔ）のメインプログラムによって一定時間間隔毎に起動されるサイクルタスクとなっている。すなわち、１０μ秒毎に起動され、起動されると上記ステップＳ１の測定結果の読み取りを行い、続く処理（ステップＳ２〜Ｓ１２）が終了すると本タスク５１を終え、次の起動を待って同様の処理を繰り返すものである。
【００２４】
また、ホストコンピュータ５は、上記の演算制御タイミングや試験条件などのパラメータを選択、設定可能となっており、選択、設定されたパラメータに基づいて、装置本体２や演算制御タスク５１などが駆動、制御されるようになっている。
【００２５】
次に、このような構成の三軸試験装置１の作動などを図４に基づいて説明する。
【００２６】
まず、ホストコンピュータ５に対して、制御条件の設定と、校正係数の読込みとが行われる（ステップＳ２１）。すなわち、試験員などによってホストコンピュータ５に、被試験体Ｍに作用する平均主応力を一定にして動的三軸試験（平均主応力一定繰返し非排水三軸試験）を行うことが設定されるとともに、測定ユニット３の校正係数（測定データの変換定数）などが入力される。次に、ホストコンピュータ５に、繰返し軸荷重載荷シリンダ２３による振幅周波数（載荷周波数ｆ）などの制御パラメータと、演算制御タイミングとが設定、入力される（ステップＳ２２）。続いて、ホストコンピュータ５に対して試験開始が指示される（ステップＳ２３）と、試験開始時における被試験体Ｍの物理値や作用水２２による静水圧値などの試験初期値が収録（記憶）され（ステップＳ２４）、その後、上記の演算制御タスク５１が起動される（ステップＳ２５）。そして、演算制御タスク５１によって上記のようにして、被試験体Ｍに作用する平均主応力が一定になるように作用水２２による静水圧（被試験体Ｍへの水平方向の応力）が制御され、動的三軸試験が行われるものである。
【００２７】
以上のように、本三軸試験装置１によれば、被試験体Ｍに作用する平均主応力が一定となるため、被試験体Ｍが飽和土に限らず不飽和土や密な材料などであっても、液状化試験を行うことができる。すなわち、被試験体Ｍへの水平方向の応力が制御されず当該応力が一定であると、例えば、図５に示すように、垂直方向の実応力値がσ０（図５（ａ）参照）からσ０＋σｄ／２（図５（ｂ）参照）に変動した場合、被試験体Ｍに作用する平均主応力はσ０＋σｄ／２となる。一方、垂直方向の実応力値がσ０からσ０−σｄ／２（図５（ｃ）参照）に変動した場合、被試験体Ｍに作用する平均主応力はσ０−σｄ／２となり、垂直方向の実応力値の変動に伴って平均主応力が変動することになる。これに対し、本三軸試験装置１によれば、垂直方向の実応力値の変動に応じて被試験体Ｍへの水平方向の応力が制御され、上記のようにして（図３参照）、平均主応力が一定に保たれるものである。
【００２８】
ここで、本三軸試験装置１によって平均主応力が一定に保たれることを示す試験結果について説明する。図６は、密な材料である豊浦砂を被試験体Ｍとして、載荷周波数ｆを変えて以下の条件で三軸試験を行った際の平均主応力の測定結果を示す。
・被試験体Ｍの相対密度Ｄｒ：７０％
・被試験体Ｍの作成方法：空中落下（ＡＰ）法
・有効拘束圧σ０：４９ｋＰａ
・脈動圧（変動圧）σｄ／２：０．０１３σ０
・バックプレッシャーＢＰ：１９６ｋＰａ
・載荷周波数ｆ：０．０２５Ｈｚ、０．０５Ｈｚ、０．１Ｈｚ
この測定結果から、載荷周波数ｆが変化しても、平均主応力がほぼ一定に保たれることが確認される。また、図７は、載荷周波数ｆを０．０５Ｈｚとし、上記の条件で三軸試験を行った際の偏差応力（垂直方向の実応力値から拘束圧を減じた応力）と、制御された水平方向の応力（側圧）との測定結果を示す。この測定結果から、側圧がほぼ理論値に近く、かつ偏差応力と側圧との位相差がほとんどないことが確認される。
【００２９】
さらに、図８は、飽和状態である飽和豊浦砂を被試験体Ｍとして、本三軸試験装置１による平均主応力一定三軸試験と、ＪＧＳ（社団法人地盤工学会）に規定されている側圧一定三軸試験とによって得られた液状化強度曲線（液状化現象が発生する繰返し載荷回数Ｎと繰返し応力比σｄ／２σ０との関係を示す曲線）を示す。ここで、被試験体Ｍが飽和状態であるため、両液状化強度曲線は近似すべきである。これに対し、本三軸試験装置１による平均主応力一定三軸試験での液状化強度が、ＪＧＳ規定の側圧一定三軸試験による液状化強度に近く（近似し）、かつＪＧＳで規定する範囲内に収まっていることが確認される。
【００３０】
また、装置本体２は従来から既存の動的三軸試験装置と同等の構成であり、演算制御タスク５１によって応力が制御されるのは水平方向の応力である静水圧のみである。すなわち、被試験体Ｍへの垂直方向の応力と水平方向の応力とを同時に制御（変動）させる必要がないため、構成が簡易となり（単純化され）安価となる。しかも、従来の動的三軸試験装置に側圧制御ユニット４と演算制御タスク５１とを設けることで本三軸試験装置１を構成することができる。このため、従来の動的三軸試験装置を不飽和土などの液状化試験にも活用することが容易に可能となる。
【００３１】
さらに、演算制御タスク５１では、平均主応力が一定になるのに要する水平方向の理論応力値を算出し、この理論応力値と水平方向の実応力値との応力差だけ圧力変動水槽４２（作用水２２の静水圧）を制御する。このため、例えば圧力変動水槽４２を一定応力毎に段階的に制御（ステップ制御）する場合に比べて、早期に（瞬時に）平均主応力を一定にすることが可能となる。また、演算制御タイミングや試験条件などのパラメータを選択、設定可能なため、被試験体Ｍの材質や大きさなどに応じてパラメータを選択、設定することで、測定ユニット３による測定時間間隔などを変更することなく、被試験体Ｍの材質や大きさなどに応じた適正で、かつ高速、高精度な演算、制御を行い、平均主応力を一定にするができる。さらには、装置本体２が従来の動的三軸試験装置と同等の構成であるため、繰返し中空ねじりせん断試験装置とは異なり、れき（小石）などを含む大きな被試験体Ｍに対しても、試験を行うことができる。
【００３２】
以上、この発明の実施の形態について詳述してきたが、具体的な構成はこの実施の形態に限られるものではなく、この発明の要旨を逸脱しない範囲の設計の変更等があっても、この発明に含まれる。例えば、本実施形態では、電気空圧変換器４１および圧力変動水槽４２を介して作用水２２の静水圧を変動させて、被試験体Ｍに作用する水平方向の応力を制御しているが、セル２１内の空圧（作用水２２への作用圧）を直接制御するようにしてもよい。また、電気空圧変換器４１の動作遅れを補正することで、より精度高くかつ高速に平均主応力を一定にすることが可能となる。
【００３３】
ところで、上記のような演算制御タスク５１を三軸試験装置用プログラムとして記憶媒体に記憶させてもよい。そして、この三軸試験装置用プログラムを従来の動的三軸試験装置にインストールし、側圧制御ユニット４を設けることで、従来の動的三軸試験装置を用いて不飽和土などに対しても液状化試験を行うことができる。しかも、三軸試験装置用プログラムをインストールし、側圧制御ユニット４を設けるだけでよいため、構成が簡易であり、費用も低く抑えることができる。
【図面の簡単な説明】
【００３４】
【図１】本発明の実施の形態に係わる三軸試験装置の概略構成図である。
【図２】本発明の実施の形態に係わる三軸試験装置の演算制御タスクのフローチャートである。
【図３】垂直応力と水平応力とを変化させた場合における被試験体内の応力状態を示す図である。
【図４】本発明の実施の形態に係わる三軸試験装置の作動フローを示すフローチャートである。
【図５】水平応力を一定とし、垂直応力のみを変化させた場合における被試験体内の応力状態を示す図である。
【図６】本発明の実施の形態において、豊浦砂を被試験体として、載荷周波数を変えて三軸試験を行った際の平均主応力の測定結果を示す図であり、（ａ）は載荷周波数が０．０２５Ｈｚ、（ｂ）は載荷周波数が０．０５Ｈｚ、（ｃ）は載荷周波数が０．１Ｈｚの場合を示す。
【図７】本発明の実施の形態において、載荷周波数を０．０５Ｈｚとして三軸試験を行い、経過時間毎の偏差応力と側圧とを測定した結果を示す図である。
【図８】本発明の実施の形態において、飽和豊浦砂を被試験体として、平均主応力一定三軸試験と側圧一定三軸試験とによって得られた液状化強度曲線を示す図である。
【符号の説明】
【００３５】
１          三軸試験装置
２          装置本体
２１        セル
２２        作用水
２３        繰返し軸荷重載荷シリンダ（軸圧載荷手段）
２３１      ロッド
３          測定ユニット（応力測定手段）
３１        軸荷重計
３２        側圧計
３３        動ひずみアンプ
４          側圧制御ユニット（側圧載荷手段）
４１        電気空圧変換器
４２        圧力変動水槽
５          ホストコンピュータ（演算制御手段）
５１        演算制御タスク（三軸試験装置用プログラム）
Ｍ          被試験体
【図１】
2007225405.tif 000003
【図２】
2007225405.tif 000004
【図３】
2007225405.tif 000005
【図４】
2007225405.tif 000006
【図５】
2007225405.tif 000007
【図６】
2007225405.tif 000008
【図７】
2007225405.tif 000009
【図８】
2007225405.tif 000010